(57)【特許請求の範囲】
【請求項１】
弁ケ―シングに入口と出口を設け、入口と出口の間に環状弁座を設け、環状弁座の出口側にディスク状弁体を配置し、ディスク状弁体の出口側にばね受けを配置し、ディスク状弁体とばね受けの間にディスク状弁体を環状弁座に付勢するばねを配置し、ディスク状弁体の外周を弁ケーシングの内周壁で摺接案内すると共にディスク状弁体の外周と弁ケ―シングの内周壁との間に流体通過用の空き間を設けたものにおいて、ディスク状弁体とばね受けの間を下方程狭く形成してばねを下部程圧縮して配置したことを特徴とするばね付勢ディスク型逆止弁。
【発明の詳細な説明】
【０００１】
【発明の属する技術分野】
本発明は流体配管に取り付けて、流体の一方向の流れは許すが、その逆方向の流れは止める逆止弁に関し、特に、ディスク状弁体をばねで弁座に付勢したばね付勢ディスク型逆止弁に関する。ばね付勢ディスク型逆止弁では、ディスク状弁体の外周を弁ケーシングの内周壁で摺接案内すると共にディスク状弁体の外周と弁ケ―シングの内周壁との間に流体通過用の空き間を形成しなければならない。
【０００２】
【従来の技術】
ばね付勢ディスク型逆止弁の一例が実公昭４９−３６７４０号公報に示されている。これは、入口と出口を有する弁ケ―シング内に環状弁座を設け、環状弁座の出口側にコイルばねで付勢したディスク状弁体を配置し、弁ケ―シングの内周壁にリブを設けて、リブの内面にディスク状弁体の外周を摺接させたものである。ディスク状弁体はその外周がリブの内面に当って摺接案内されると共に、流体はリブの間の空き間を通って流れる。
【０００３】
また実開昭６０−１０９６４号公報に示されたばね付勢ディスク型逆止弁は、弁ケ―シングの内周壁を円筒面に形成し、ディスク状弁体の外周に突起を設けて、突起の外端を弁ケ―シングの内周壁に摺接させたものである。ディスク状弁体はその突起の外端が弁ケ―シングの内周壁に当って摺接案内されると共に、流体は突起の間の空き間を通って流れる。
【０００４】
【発明が解決しようとする課題】
上記従来技術のばね付勢ディスク型逆止弁では、ディスク状弁体外周の下端と、このディスク状弁体外周の下端が摺接する弁ケーシング内周壁の下端とが摩耗してディスク状弁体の案内が悪くなる問題点があった。これは、ディスク状弁体は自重で下方に変位しているので、その外周の下端が常に弁ケーシング内周壁の下端に摺接するためである。
【０００５】
従って、本発明の技術的課題は、ディスク状弁体外周の下端と弁ケーシング内周壁の下端との摺接を軽減することにより摩耗を軽減できるばね付勢ディスク型逆止弁を提供することである。
【０００６】
【課題を解決するための手段】
上記の技術的課題を解決するために講じた本発明の技術的手段は、弁ケ―シングに入口と出口を設け、入口と出口の間に環状弁座を設け、環状弁座の出口側にディスク状弁体を配置し、ディスク状弁体の出口側にばね受けを配置し、ディスク状弁体とばね受けの間にディスク状弁体を環状弁座に付勢するばねを配置し、ディスク状弁体の外周を弁ケーシングの内周壁で摺接案内すると共にディスク状弁体の外周と弁ケ―シングの内周壁との間に流体通過用の空き間を設けたものにおいて、ディスク状弁体とばね受けの間を下方程狭く形成してばねを下部程圧縮して配置したことを特徴とするばね付勢ディスク型逆止弁にある。
【０００７】
【発明の実施の形態】
本発明は、ディスク状弁体とばね受けの間を下方程狭く形成してばねを下部程圧縮して配置したものである。そのため、ばねはディスク状弁体を下部程強く環状弁座に付勢し、ディスク状弁体はその下端を支点に上部側が出口側に傾倒して開弁したり、あるいは上部側が下部側よりも出口側に大きく変位して開弁する機会が多くなる。そのため、ディスク状弁体外周の下端と弁ケーシング内周壁の下端との摺接が軽減され摩耗が軽減される。
【０００８】
【実施例】
次に、図１を参照して本発明の技術的手段の具体例を示す実施例を説明する。図１において、本実施例の弁ケ―シング１は、図示しない入口側配管フランジと出口側配管フランジの間に配置されボルトとナットからなる締結手段によって挟持されるものである。弁ケーシング１に入口２と環状弁座３と出口４を同軸上に形成する。
【０００９】
弁ケーシング１の内周壁にリブ５を４個設ける。リブ５の内面は総て同心円上に位置し出入口の軸心から等距離に形成する。環状弁座３の出口４側にディスク状弁体６を配置する。ディスク状弁体６はその直径がリブ５内面の直径よりも少し小さく、外周がリブ５の内面に緩く摺接する。リブ５の溝にばね受け７の外周を嵌めて固定する。ばね受け７は傾倒させて下部側をディスク状弁体６側に近づけて配置し、ディスク状弁体６との間を下方程狭く形成する。この下方程狭く形成したディスク状弁体６とばね受け７の間にディスク状弁体６を環状弁座３に付勢するコイルばね８を下部程圧縮させて配置する。
【００１０】
ばね受け７は中心に流体通過用孔９を有し、外周側が入口２側に曲がり、更にその外周側が弁ケーシング１の内周壁側に曲がった形状で、入口２側に曲がった角にコイルばね８の一端側が嵌まり、弁ケーシング１の内周壁側に曲がった外端がリブ５の溝に嵌まる。
【００１１】
入口２の流体圧力が出口４よりも高くなると、ディスク状弁体６はコイルばね８の付勢力に抗して出口４側に変位し、入口４の流体がリブ５の間の空間を通って出口４に流れる。ディスク状弁体６とばね受け７の間を下方程狭く形成し、コイルばね８を下部程圧縮して配置しているので、コイルばね８はディスク状弁体６を下部程強く環状弁座３に付勢する。そのため、ディスク状弁体６はその下端を支点に上部側が出口４側に傾倒して開弁したり、あるいは上部側が下部側よりも出口４側に大きく変位して開弁する機会が多くなり、その外周の下端と弁ケーシング１内周壁の下端との摺接が軽減され摩耗が軽減される。出口４の流体圧力が入口２よりも高くなると、ディスク状弁体６は流体圧力とコイルばね８の作用を受けて、入口２側に変位し環状弁座６に機密的に接する。
【００１２】
次に、図２乃至図５を参照して本発明の技術的手段の具体例を示す別の実施例を説明する。尚、以下に述べる実施例では、図１の実施例と同一の作用を行う部材ついては同一の番号を付し、重複説明を避けることとする。
【００１３】
上記図１の実施例では、ばね受け７を傾倒させてその下部側をディスク状弁体６側に近づけて配置した。これに対して、図２の実施例は、ばね受け７を予めその下部程ディスク状弁体６側に傾斜した形状に形成したものである。これにより、することにより、ディスク状弁体６とばね受け７の間を下方程狭く形成する。
【００１４】
上記図１及び図２の実施例では、ばね受け７を改良したが、ばね受け７を改良することに代えて、図３の実施例のように、環状弁座３をその下部程ばね受け７側に近づけた形状に形成することにより、ディスク状弁体６とばね受け７の間を下方程狭く形成することもできる。
【００１５】
図４の実施例は、ばね受け７や環状弁座３を改良することに代えて、ディスク状弁体６の下部側を厚肉に形成することにより、ばね受け７との間を下方程狭く形成したものである。
【００１６】
上記図１乃至図４の実施例では、ばね受け７や環状弁座３やディスク状弁体６を夫々単独で改良したが、これらの部材の改良を組み合わせることも可能である。例えば、図５の実施例は、図１の実施例と図３の実施例を組み合わせたもので、環状弁座３をその下部程ばね受け７側に近づけて形成し、また、ばね受け７を傾倒させてその下部側を環状弁座３側に近づけて配置することにより、ディスク状弁体６とばね受け７の間を下方程狭く形成したものである。
【００１７】
【発明の効果】
上記のように本発明によれば、ディスク状弁体とばね受けの間を下方程狭く形成してばねを下部程圧縮して配置することにより、ディスク状弁体外周の下端と弁ケーシング内周壁の下端との摩耗を軽減することができ、ディスク状弁体を確実に案内できると言う優れた効果を生じる。
【図面の簡単な説明】
【図１】本発明のばね付勢ディスク型逆止弁の実施例の断面図である。
【図２】本発明のばね付勢ディスク型逆止弁の別の実施例の断面図である。
【図３】本発明のばね付勢ディスク型逆止弁の別の実施例の断面図である。
【図４】本発明のばね付勢ディスク型逆止弁の別の実施例の断面図である。
【図５】本発明のばね付勢ディスク型逆止弁の別の実施例の断面図である。
【符号の説明】
１  弁ケーシング
２  入口
３  環状弁座
４  出口
５  リブ
６  ディスク状弁体
７  ばね受け
８  コイルばね
【図１】
0004249321.tif 000002
【図２】
0004249321.tif 000003
【図３】
0004249321.tif 000004
【図４】
0004249321.tif 000005
【図５】
0004249321.tif 000006